(57)【要約】【課題】  配管の長寸化を伴うことなく、空調用空気に昇温用空気を速やかに均一にミキシングする。【解決手段】  低温の空調用空気が流れる配管１１に、空調用空気を昇温するために混合する昇温用空気が通過する多数の穴が管状部材の全周に亘って形成されたパンチングプレート１２を設け、パンチングプレート１２の外周には閉じた空間部１３が形成され、この空間部１３に導入された昇温用空気がパンチングプレート１２を通過して空調用空気にミキシングする際、パンチングプレート１２には、昇温用空気が空間部１２へ流れ込んでくる方向に面した範囲を除いて穴が形成されており、昇温用空気が略均一にパンチングプレート１２の多数の穴を通過するので、空調用空気に対して均一なミキシングが行われる。【選択図】        図１
0003121234.tif 000002
【実用新案登録請求の範囲】
【請求項１】
空調用空気が流れる配管に、該空調用空気を昇温するために混合する昇温用空気が通過する多数の穴が管状部材の略全周に亘って形成された多穴部を設け、多穴部の外周には閉じた空間部が形成され、この空間部に導入された昇温用空気が多穴部を通過して空調用空気にミキシングされる空調用ミキシング器具において、前記多穴部には、昇温用空気が前記空間部へ流れ込んでくる方向に面した範囲を除いて穴が形成されたこと特徴とする空調用ミキシング器具。
【考案の詳細な説明】
【技術分野】
【０００１】
本考案は、空調装置において、低温の空調用空気を温度調整するために高温の昇温用空気をミキシングする器具に関する。
【背景技術】
【０００２】
空調装置、特に航空機器搭載用の空調装置において、キャビンやコックピット等の空調用として供給される空気は、概して乗客等に適した温度に比べて概して低温である。このような低温の空気を乗客等に適した温度に昇温するため、昇温用空気がミキシング器具によりミキシングされる。
【０００３】
たとえば図３に示すように、ミキシング後の温度をミキシングの箇所よりも下流の温度センサ５６で測定し、所定温度が得られるよう、昇温用空気の供給量を調節しており、その供給量の調節のために調温用の電磁バルブ５５の開度を調節していた。
【０００４】
ミキシング器具５４は、低温の空調用空気が流れる配管５１に接続され、多数の穴が管状部材の全周に亘って形成されたパンチングプレート（多穴部）５２と、パンチングプレート５２の外周に形成され閉じた空間部５３からなり、この空間に昇温用空気が供給されることにより、パンチングプレート５２の多数の穴を通過して昇温用空気が低温の空調用空気にミキシングされる。
【考案の開示】
【考案が解決しようとする課題】
【０００５】
ところで、ミキシング器具５４において、図４にその断面図を示すように、パンチングプレート５２は全周に亘って多数の穴が設けられているので、特に、空間部５３に流入してきた昇温用空気の多くが、その流入方向に面したパンチングプレート５２の穴を介して流入し、パンチングプレート５２の全周には行き渡らない。
【０００６】
このような現象に伴い、ミキシング器具５４では、空調用空気に昇温用空気が均一にミキシングされずその直後の下流に設けた温度センサ５６では正確な温度測定ができず、正確な温度測定を行おうとして十分にミキシングするためには、管路が長くなり、配管５１の長寸化を伴った。
【０００７】
本考案は上記課題を解決し、配管の長寸化による温度測定の応答性を改善し、空調用空気に対し速やかに昇温用空気を均一にミキシングできるミキシング器具を提供することを目的とする。
【課題を解決するための手段】
【０００８】
上記課題を解決するため、本考案は、低温の空調用空気が流れる配管に、該空調用空気を昇温するために混合する昇温用空気が通過する多数の穴が管状部材の全周に亘って形成された多穴部を設け、多穴部の外周には閉じた空間部が形成され、この空間部に導入された昇温用空気が多穴部を通過して空調用空気にミキシングされる空調用ミキシング器具において、前記多穴部には、昇温用空気が前記空間部へ流れ込んでくる方向に面した範囲を除いて穴が形成されたこと特徴とする。
【考案の効果】
【０００９】
本考案では、空調用空気に多穴部を介して昇温用空気をミキシングする際、昇温用空気を均一にミキシングすることが可能となる。したがって、その直後の下流に備えた温度センサで正確な温度測定ができるようになり、配管の長寸化することを抑制でき、しかもその温度情報を用いて電磁バルブの開度を制御して、最適な昇温用空気を供給することが可能となる。
【考案を実施するための最良の形態】
【００１０】
本実施例の空調用ミキシング器具について図１を用いて説明する。１１は空調装置の一部を構成する配管であり、上流から低温の空調用空気が流れてくるものである。
【００１１】
配管１１には、管状であり外周に多数の穴がパンチングされたパンチングプレート（多穴部）１２が接続されるとともに、パンチングプレート１２の外周に形成され閉じた空間部１３からなり、この空間部１３には電磁バルブ１５を通過した昇温用空気が供給されることにより、昇温用空気がパンチングプレート１２の多数の穴を通過するよう構成されており、ミキシング器具１４はこれらパンチングプレート１２と空間部１３からなる。
【００１２】
そして、低温の空調用空気を乗客等に適した温度に昇温するため、ミキシング器具１４の下流に温度センサ１６を設け、検出された温度情報に応じて、電磁バルブ１５の開度を制御してミキシングする昇温用空気の供給量を調整し、空調用空気を最適な温度に調整するよう構成される。
【００１３】
特に、図２に示すように、パンチングプレート１２は空間部１３に流れ込んできた昇温用空気が、そのまま直接パンチングプレート１２の穴を通過しないように、パンチングプレート１２において空間部に昇温用空気が流れ込んでくる領域には穴が形成されていない。
【００１４】
上記のように構成されたミキシング器具１４であるので、その上流の配管１１を流れてきた空調用空気の温度を下流の温度センサ１６で検出し、その温度情報を基に電磁バルブ１５の開度を調整し、その開度に応じた昇温用空気が電磁バルブ１５を介して空間部１３に流れ込む。
【００１５】
空間部１３に流れ込んだ昇温用空気は、まず、パンチングプレート１２における穴を形成していない領域に衝突した後、パンチングプレート１２の外周に沿って流れる。その際、徐々に、パンチングプレート１２の穴を通過して、その内部に流れ込む。つまり、昇温用空気がパンチングプレート１２の外周を流れる流れ方向とは鉛直方向に穴が形成されているので、昇温用空気が特定の穴から一度に流れ込むことがなくなり、徐々に満遍なく多数の穴を通過して内部に流れ込むので、昇温用空気が空調用空気に対して均一にミキシングされる。
【００１６】
したがって、ミキシング器具１４の下流の近くに温度センサ１６を設けても、十分に正確な空調用空気の温度検出が可能となり、ミキシングされるまでの管路長を長寸化することは不要である。
【図面の簡単な説明】
【００１７】
【図１】本考案の実施例に係る空調用ミキシング器具を含む概略図
【図２】本考案の実施例に係る空調用ミキシング器具の断面図。
【図３】従来の空調用ミキシング器具を含む概略図。
【図４】従来の空調用ミキシング器具の断面図。
【符号の説明】
【００１８】
１１  配管
１２  パンチングプレート
１３  空間部
１４  ミキシング器具
１５  電磁バルブ
１６  温度センサ
【図１】
0003121234.tif 000003
【図２】
0003121234.tif 000004
【図３】
0003121234.tif 000005
【図４】
0003121234.tif 000006